(57)【要約】【課題】正確な発光強度を測定することが可能であり、かつタクトタイムを短縮可能な光出力測定装置および光出力測定方法を提供する。【解決手段】本発明の光出力測定装置１０は、光源２０から発せられた光を透過し、かつ透過した光を平行光線にするためのレンズ２と、レンズ２を透過した光のうち所定の光成分だけを通す、たとえば平行光線のみを通すバンドパスフィルタ３と、バンドパスフィルタ３を通った所定の光成分の発光強度（光量）を測定するセンサ４とを備えている。【選択図】　　　　図１
2004045282.tif 000002
【特許請求の範囲】
【請求項１】
光源から発せられた光を通すためのレンズと、
前記レンズを通過した光のうち所定の光成分だけを通すフィルタと、
前記フィルタを通った前記所定の光成分の光量を測定するためのセンサとを備えた、光出力測定装置。
【請求項２】
前記レンズは、光源から発せられた光を透過し、その透過した光を平行光線にするためのものであり、
前記フィルタは、平行光線のみを通すものであることを特徴とする、請求項１に記載の光出力測定装置。
【請求項３】
青色成分の光と黄色成分の光とを所定の比率で含む白色光の光量を測定する光出力測定方法であって、前記青色成分の光を取り出して光量を測定し、前記所定の比率に基づいて前記青色成分の光量から前記白色光全体の光量を測定する、光出力測定方法。
【発明の詳細な説明】
【０００１】
【発明の属する技術分野】
本発明は、光出力測定装置および光出力測定方法に関し、特に発光ダイオード（ＬＥＤ：Ｌｉｇｈｔ　Ｅｍｉｔｔｉｎｇ　Ｄｉｏｄｅ）などの発光素子により発せられた白色光の光量を測定する光出力測定装置および光出力測定方法に関するものである。
【０００２】
【従来の技術】
近年、従来からある赤色または緑色を発するＬＥＤに加え、青色を発するＬＥＤが開発され、光の３原色をカバーできる発光色が市場に出始めてきた。また、それに伴って単独で白色光を発するＬＥＤも出現している。
【０００３】
このＬＥＤの出荷検査方法には全数検査が理想的だが、そのタクトタイムが問題となってくる。もし、パッケージング前に使用するベアチップの良否が高い精度で判定できたなら、単位時間あたりの製造量を実質上げることができ、ひいては最終歩留まりの向上につながる。
【０００４】
一般には、ＬＥＤ、レーザーダイオード（ＬＤ：Ｌａｓｅｒ　Ｄｉｏｄｅ）などの発光素子の検査は、発光素子を格子状若しくは直線状に配置して発光させ、フォトダイオード（ＰＤ：Ｐｈｏｔｏ　Ｄｉｏｄｅ）などの受光デバイスを用いたプローブヘッドを発光素子の直上に順次移動させて発光強度を測定することにより行なわれている。
【０００５】
【発明が解決しようとする課題】
しかしながら、パッケージと異なり、ＬＥＤのベアチップの発光パターンは拡散性が高いため、正確な測定が困難である。つまり、図４に示すように発光素子１０１の真上に放射される光は受光素子１０２に取り入れられるが、発光素子１０１の側方に放射される光は受光素子１０２に取り入れられないため、発光素子１０１により発せられる光の全光量を測定することは困難である。このため、Ｚｎ（亜鉛）系発光素子などのように基板も発光に寄与しているため水平方向にも光を放射する発光素子では、正確な発光強度を測定することは困難であるという問題点がある。
【０００６】
また、図５に示すように積分球本体２０２内に発光素子２０１を配置して、フォトダイオードなどの受光素子２０３により発光素子２０１の発光強度を測定することも考えられる。これによれば、発光素子２０１により発せられる光の全光量を測定することが可能となるため、正確な発光強度を測定することが容易となる。
【０００７】
しかしながら、積分球を用いる手法では、発光素子２０１を測定ごとに積分球本体２０２内に挿入して手動で１つ１つ測定するため、測定に手間がかかり、タクトタイムを短縮することが困難であるという問題点がある。
【０００８】
それゆえ本発明の目的は、正確な発光強度を測定することが可能であり、かつタクトタイムを短縮可能な光出力測定装置および光出力測定方法を提供することである。
【０００９】
【課題を解決するための手段】
本発明の光出力測定装置は、光源から発せられた光を通すためのレンズと、レンズを通過した光のうち所定の光成分だけを通すフィルタと、フィルタを通った所定の光成分の光量を測定するためのセンサとを備えている。
【００１０】
上記の光出力測定装置において好ましくは、レンズは、光源から発せられた光を透過し、その透過した光を平行光線にするためのものであり、フィルタは、平行光線のみを通すものである。
【００１１】
本発明の光出力測定方法は、青色成分の光と黄色成分の光とを所定の比率で含む白色光の光量を測定する光出力測定方法であって、青色成分の光を取り出して光量を測定し、所定の比率に基づいて青色成分の光量から白色光全体の光量を測定することを特徴とするものである。
【００１２】
発光ダイオードが発する白色光は、通常、青色成分の光と黄色成分の光とを所定の比率で混ぜることにより得られている。この黄色成分の光は発光ダイオードの真上のみならず側方へも放射されるのに対し、青色成分の光の大部分は発光ダイオードの真上に放射される。このため、本発明の光出力測定装置を発光ダイオードの真上に配置することにより、発光ダイオードにより放射された黄色成分の光の一部と青色成分の光の大部分とをレンズヘ導くことが可能となる。このレンズには、たとえば、そのレンズを透過した光を平行光線にするレンズが用いられる。ここで、そのレンズを透過した黄色成分の光は広がりが大きすぎるため平行光線になりにくいのに対し、そのレンズを透過した青色成分の光は平行光線になりやすい。このため、フィルタとして、たとえば平行光線のみを通すフィルタを用いることにより、平行光線になっていない黄色成分の光を排除し、平行光線となっている青色成分の光のみをフィルタを通してセンサに導くことができる。これにより、センサで青色成分の光の発光強度（光量）を測定することができる。
そして測定された青色成分の光の発光強度から、青色成分の光と黄色成分の光との所定の比率に基づいて、発光ダイオードから発せられた光の全発光強度を得ることができる。
【００１３】
本発明では、青色成分の光のみを取り出して発光強度を測定するが、青色成分の光の大部分は発光ダイオードの真上に放射される。このため、光出力測定装置を発光ダイオードの真上に配置することにより、青色成分の光を漏れなくセンサに導くことができるので、青色成分の光の発光強度を正確に測定することが可能となる。そして、その正確な青色成分の光の発光強度から、発光ダイオードから発せられた光の全発光強度を求めるため、全発光強度を正確に求めることができる。
【００１４】
また、複数の発光ダイオードを格子状若しくは直線状に配置して発光させ、光出力測定装置を発光ダイオードの真上に順次移動させて発光強度を測定することができるため、タクトタイムを短縮することができる。
【００１５】
これにより、正確な発光強度を測定することが可能であり、かつタクトタイムを短縮可能な光出力測定装置および光出力測定方法を得ることができる。
【００１６】
【発明の実施の形態】
以下、本発明の実施の形態について図に基づいて説明する。
【００１７】
図１は、本発明の一実施の形態における光出力測定装置の構成を概略的に示す断面図である。図１を参照して、本実施の形態の光出力測定装置１０は、光出力測定装置本体１と、レンズ２と、バンドパスフィルタ３と、センサ４とを主に有している。光出力測定装置本体１が、光源（たとえば発光ダイオード）２０から発せられた光の入口側と出口側とを有する孔部を有し、その孔部にレンズ２、バンドパスフィルタ３およびセンサ４が光の入口側から順に取り付けられている。
【００１８】
レンズ２は、光の入口側に取り付けられており、光源２０から発せられた光を透過し、かつ透過した光を平行光線にするためのものである。バンドパスフィルタ３は、光の入口側と出口側との中間部に取り付けられており、レンズ２を透過した光のうち所定の光成分だけを通す、たとえば平行光線のみを通すものである。センサ４は、光の出口側に取りつけられており、バンドパスフィルタ３を通った所定の光成分の発光強度（光量）を測定するためのものである。
【００１９】
次に、本実施の形態の光出力測定装置１０を用いた光出力測定方法について説明する。
【００２０】
発光ダイオード２０が発する白色光は、通常、青色成分の光と黄色成分の光とを所定の比率で混ぜることにより得られている。この黄色成分の光は、図２に示すように発光ダイオード２０の真上のみならず側方へも放射される。これに対し、青色成分の光の場合、図３に示すように青色成分の光の大部分は発光ダイオード２０の真上に放射される。このため、本実施に形態の光出力測定装置１０を発光ダイオードの真上に配置することにより、発光ダイオード２０により放射された黄色成分の光の一部と青色成分の光の大部分とをレンズ２ヘ導くことが可能となる。このレンズ２には、たとえば、そのレンズ２を透過した光を平行光線にするレンズが用いられる。ここで、そのレンズ２を透過した黄色成分の光は広がりが大きすぎるため平行光線になりにくいのに対し、そのレンズ２を透過した青色成分の光は平行光線になりやすい。このため、フィルタ３として、たとえば平行光線のみを通すフィルタを用いることにより、平行光線になっていない黄色成分の光を排除し、平行光線となっている青色成分の光のみをフィルタ３を通してセンサ４に導くことができる。これにより、センサ４で青色成分の光の発光強度（光量）を測定することができる。そして測定された青色成分の光の発光強度から、青色成分の光と黄色成分の光との所定の比率に基づいて、発光ダイオード２０から発せられた光の全発光強度を得ることができる。
【００２１】
本実施の形態によれば、青色成分の光のみを取り出して発光強度を測定するが、青色成分の光の大部分は発光ダイオード２０の真上に放射される。このため、光出力測定装置１０を発光ダイオード２０の真上に配置することにより、青色成分の光をほとんど漏れなくセンサ４に導くことができるので、青色成分の光の発光強度を正確に測定することが可能となる。そして、その正確な青色成分の光の発光強度から、発光ダイオード２０から発せられた光の全発光強度を求めるため、全発光強度を正確に求めることができる。
【００２２】
また、複数の発光ダイオード２０を格子状若しくは直線状に配置して発光させ、光出力測定装置１０を発光ダイオード２０の真上に順次移動させて発光強度を測定することができるため、タクトタイムを短縮することができる。
【００２３】
これにより、正確な発光強度を測定することが可能であり、かつタクトタイムを短縮可能な光出力測定装置および光出力測定方法を得ることができる。
【００２４】
なお、本実施の形態においては光源２０として発光ダイオードについて説明したが、本発明の光源２０はこれに限定されるものではなく、青色成分の光と黄色成分の光とを所定の比率で含む白色光を発するものであればよい。
【００２５】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【００２６】
【発明の効果】
以上説明したように本発明の光出力測定装置および光出力測定方法によれば、青色成分の光のみを取り出して発光強度を測定するが、青色成分の光の大部分は発光ダイオードの真上に放射される。このため、光出力測定装置を発光ダイオードの真上に配置することにより、青色成分の光を漏れなくセンサに導くことができるので、青色成分の光の発光強度を正確に測定することが可能となる。そして、その正確な青色成分の光の発光強度から、発光ダイオードから発せられた光の全発光強度を求めるため、全発光強度を正確に求めることができる。
【００２７】
また、複数の発光ダイオードを格子状若しくは直線状に配置して発光させ、光出力測定装置を発光ダイオードの真上に順次移動させて発光強度を測定することができるため、タクトタイムを短縮することができる。
【００２８】
これにより、正確な発光強度を測定することが可能であり、かつタクトタイムを短縮可能な光出力測定装置および光出力測定方法を得ることができる。
【図面の簡単な説明】
【図１】本発明の一実施の形態における光出力測定装置の構成を概略的に示す断面図である。
【図２】発光ダイオードから放射される黄色成分の光の広がりを示す図である。
【図３】発光ダイオードから放射される青成分の光の広がりを示す図である。
【図４】従来のプローブヘッドを用いた光出力測定方法を説明するための図である。
【図５】従来の積分球を用いた光出力測定方法を説明するための図である。
【符号の説明】
１　光出力測定装置本体、２　レンズ、３　バンドパスフィルタ、３　フィルタ、４　センサ、１０　光出力測定装置、２０　光源。
【図１】
2004045282.tif 000003
【図２】
2004045282.tif 000004
【図３】
2004045282.tif 000005
【図４】
2004045282.tif 000006
【図５】
2004045282.tif 000007